(57)【要約】【課題】吸収性本体における排泄物を収容するための空間を確保しやすくする。【解決手段】吸収性本体（１０）は、吸収性コア（１１Ａ）及び脚回り伸縮部材（１６）を有し、吸収性コア（１１Ａ）は、２つ折りされ、前側コア部（１１Ａｆ）と後側コア部（１１Ａｂ）を有し、腹側胴回り部（２０）及び背側胴回り部（３０）は胴回り伸縮部材（２２、３２）を有し、脚回り伸縮部材（１６）及び胴回り伸縮部材（２２、３２）を伸長させた伸長状態において、吸収性本体（１０）の左右方向の一方側の端と腹側胴回り部（２０）の下端との交点（Ｐ）から一方側の脚回り開口部（ＬＨ）の下端までの上下方向の長さ（Ｌ１）は、交点（Ｐ）から腹側胴回り部（２０）の一方側の端までの左右方向の長さ（Ｌ２）の１．６５倍より大きく、前側コア部（１１Ａｆ）は、腹側胴回り部（２０）の下端よりも下側に、左右方向に所定の長さを有する圧搾部（Ｅ）を少なくとも１つ有するパンツ型吸収性物品（１）。【選択図】図２
2019118582.tif 000002
【特許請求の範囲】
【請求項１】
上下方向、左右方向、及び前後方向を有し、
吸収性本体、腹側胴回り部、前記腹側胴回り部とは別部材として構成された背側胴回り部、及び一対の脚回り開口部を有するパンツ型吸収性物品であって、
前記吸収性本体は、吸収性コア及び前記上下方向に伸縮する脚回り伸縮部材を有し、
前記吸収性コアは、２つ折りされており、前側に位置する前側コア部と、後側に位置する後側コア部を有し、
前記腹側胴回り部、及び前記背側胴回り部は、前記左右方向に伸縮する胴回り伸縮部材をそれぞれ有し、
前記脚回り伸縮部材、及び前記胴回り伸縮部材をそれぞれ伸長させた伸長状態において、
前記吸収性本体の前記左右方向の一方側の端と前記腹側胴回り部の下端との交点から前記一方側の前記脚回り開口部の下端までの前記上下方向の長さは、前記交点から前記腹側胴回り部の前記一方側の端までの前記左右方向の長さの１．６５倍より大きく、
前記前側コア部は、前記腹側胴回り部の下端よりも下側に、前記左右方向に所定の長さを有する圧搾部を少なくとも１つ有していること
を特徴とするパンツ型吸収性物品。
【請求項２】
請求項１に記載のパンツ型吸収性物品において、
前記圧搾部は、前記左右方向の一方側から他方側まで連続した連続圧搾部であり、
前記連続圧搾部の上端のうち、前記左右方向において、最も下側に位置する部位から最も上側に位置する部位をつなぐ直線と前記左右方向に沿った直線とがなす角度のうち、小さい方の角度が４５度よりも小さいことを特徴とするパンツ型吸収性物品。
【請求項３】
請求項１又は２に記載のパンツ型吸収性物品において、
全ての前記圧搾部の前記左右方向の長さの和は、前記上下方向の長さの和よりも大きいことを特徴とするパンツ型吸収性物品。
【請求項４】
請求項１から３のいずれか１項に記載のパンツ型吸収性物品において、
前記圧搾部は、前記左右方向に沿った直線であることを特徴とするパンツ型吸収性物品。
【請求項５】
請求項１から４のいずれか１項に記載のパンツ型吸収性物品において、
複数の前記圧搾部が、前記上下方向に配置されていることを特徴とするパンツ型吸収性物品。
【請求項６】
請求項１から５のいずれか１項に記載のパンツ型吸収性物品において、
前記前側コア部は、非肌側面に凸部と凹部を有しており、
前記圧搾部が凹部であることを特徴とするパンツ型吸収性物品。
【請求項７】
請求項１から６のいずれか１項に記載のパンツ型吸収性物品において、
前記前側コア部は、上部よりも前記左右方向の長さが短い幅狭部を有していることを特徴とするパンツ型吸収性物品吸収性物品。
【請求項８】
請求項７に記載のパンツ型吸収性物品において、
前記幅狭部は、最も前記左右方向の長さが短い最狭部を有し、
前記幅狭部に設けられている前記圧搾部の前記左右方向の長さは、前記最狭部の前記左右方向の長さ以上であることを特徴とするパンツ型吸収性物品。
【請求項９】
請求項７又は８に記載のパンツ型吸収性物品において、
前記前側コア部は、前記腹側胴回り部の下端より上側にも前記圧搾部を有しており、前記幅狭部は、最も前記左右方向の長さが短い最狭部を有し、
前記前側コア部のうち前記最狭部より上側の領域において、
前記前側コア部に設けられている前記圧搾部のうちの、ある圧搾部の前記左右方向の端が、前記前側コア部の前記左右方向の端に接していないことを特徴とするパンツ型吸収性物品。
【請求項１０】
請求項１から９のいずれか１項に記載のパンツ型吸収性物品において、
前記圧搾部は、前記上下方向に複数配置されており、
前記上下方向において、
前記圧搾部の寸法より、前記隣接する前記圧搾部同士の間隔の寸法の方が長いことを特徴とするパンツ型吸収性物品。
【請求項１１】
請求項１から１０のいずれか１項に記載のパンツ型吸収性物品において、
前記前側コア部は、液体吸収性繊維を備え、前記液体吸収性繊維の密度が高い高密度領域と、前記液体吸収性繊維の密度が低い低密度領域とを有し、
前記圧搾部は、前記高密度領域であり、
前記低密度領域の前記上下方向における中央の厚みは、前記圧搾部の前記上下方向における中央の厚みの１．３〜３．０倍であることを特徴とするパンツ型吸収性物品。
【請求項１２】
請求項１から１１のいずれか１項に記載のパンツ型吸収性物品において、
前記前側コア部は、前記腹側胴回り部の下端よりも上側にも前記圧搾部を有していることを特徴とするパンツ型吸収性物品。
【請求項１３】
請求項１から１２のいずれか１項に記載のパンツ型吸収性物品において、
前記圧搾部の前記左右方向の中央は、前記吸収性本体の左右方向の中央であることを特徴とするパンツ型吸収性物品。
【請求項１４】
請求項１３に記載のパンツ型吸収性物品において、
前記腹側胴回り部は、前記胴回り伸縮部材とともに伸縮する伸縮領域と、伸縮しない非伸縮領域を有しており、
前記非伸縮領域は、前記腹側胴回り部の前記左右方向の中央部に設けられており、
前記圧搾部の前記左右方向の両端は、前記非伸縮領域の前記左右方向の両端よりもそれぞれ外側に設けられていることを特徴とするパンツ型吸収性物品。
【請求項１５】
請求項１３に記載のパンツ型吸収性物品において、
前記腹側胴回り部は、前記胴回り伸縮部材とともに伸縮する伸縮領域と、伸縮しない非伸縮領域を有しており、
前記非伸縮領域は、前記左右方向の中央部に設けられており、
前記圧搾部の前記左右方向の両端は、前記非伸縮領域の前記左右方向の両端よりもそれぞれ内側に設けられていることを特徴とするパンツ型吸収性物品。
【請求項１６】
請求項１から１５のいずれか１項に記載のパンツ型吸収性物品において、
前記吸収性本体は、防漏壁伸縮部材、肌側に起立不能な固定部、及び肌側に起立可能な起立部を備えた一対の防漏壁を有し、
前記圧搾部の前記左右方向の長さは、前記防漏壁の前記左右方向の内側の端同士の距離以上であることを特徴とするパンツ型吸収性物品。
【請求項１７】
請求項１から１６のいずれか１項に記載のパンツ型吸収性物品において、
前記圧搾部は、前記上下方向に等間隔に複数配置されていることを特徴とするパンツ型吸収性物品。
【請求項１８】
請求項１から１６のいずれか１項に記載のパンツ型吸収性物品において、
前記前側コア部は、複数の前記圧搾部を有し、
複数の前記圧搾部のうち、最も下側に位置する下側圧搾部と、前記下側圧搾部に上側から隣接する隣接下側圧搾部との間隔は、
前記腹側胴回り部の下端よりも下側に設けられた複数の前記圧搾部のうち、最も上側に位置する上側圧搾部と、前記上側圧搾部に下側から隣接する隣接上側圧搾部との間隔よりも小さいことを特徴とするパンツ型吸収性物品。
【発明の詳細な説明】
【技術分野】
【０００１】
本発明は、パンツ型吸収性物品に関する。
【背景技術】
【０００２】
従来、吸収性物品の一例としてパンツ型使い捨てが知られている。例えば、特許文献１には、前胴回り域１１、後胴回り域１２、及び吸収構造体２１を有する使い捨ておむつ１０が開示されている。吸収構造体２１は、吸収体２２の幅方向両外側に飛び出す延出部３１を備えている。延出部３１に、防漏カフ部５１と、防漏カフ部５１より幅方向の長さが長いレッグギャザー部４１を設けることで、着用者の脚回りに広く面でフィットして、排泄物がおむつ１０の外側に漏出する恐れを軽減させている。
【先行技術文献】
【特許文献】
【０００３】
【特許文献１】特開２０１７−１２４５９号公報
【発明の概要】
【発明が解決しようとする課題】
【０００４】
しかし、特許文献１のような使い捨ておむつ１０においては、レッグギャザー部４１の長さを確保するためには、吸収構造体２１が幅広となってしまう。脚を前に出した姿勢でいることが多い乳幼児が脚を閉じると、吸収構造体２１を幅方向から押し潰してしまうため、吸収構造体２１が幅広となると、吸収構造体２１がより強く押し潰され、吸収構造体２１の幅方向の中央部分が前側に飛び出た状態となりやすくなる。その後、乳幼児の脚を開いたとしても、吸収構造体２１は潰された形状を維持しやすく、吸収構造体２１内の排泄物を貯留する空間が狭められたままの状態となってしまう恐れがある。吸収構造体２１内の排泄物を貯留する空間が狭められた状態では、排泄物が使い捨ておむつ１０の外に漏出したり、使い捨ておむつ１０を短時間で交換する必要が生じたりしてしまう恐れがある。
【０００５】
本発明は、上記のような問題に鑑みてなされたものであって、吸収性本体における排泄物を収容するための空間を確保しやすくすることを目的とする。
【課題を解決するための手段】
【０００６】
上記目的を達成するための主たる発明は、上下方向、左右方向、及び前後方向を有し、吸収性本体、腹側胴回り部、前記腹側胴回り部とは別部材として構成された背側胴回り部、及び一対の脚回り開口部を有するパンツ型吸収性物品であって、前記吸収性本体は、吸収性コア及び前記上下方向に伸縮する脚回り伸縮部材を有し、前記吸収性コアは、２つ折りされており、前側に位置する前側コア部と、後側に位置する後側コア部を有し、前記腹側胴回り部、及び前記背側胴回り部は、前記左右方向に伸縮する胴回り伸縮部材をそれぞれ有し、前記脚回り伸縮部材、及び前記胴回り伸縮部材をそれぞれ伸長させた伸長状態において、前記吸収性本体の前記左右方向の一方側の端と前記腹側胴回り部の下端との交点から前記一方側の前記脚回り開口部の下端までの前記上下方向の長さは、前記交点から前記腹側胴回り部の前記一方側の端までの前記左右方向の長さの１．６５倍より大きく、前記前側コア部は、前記腹側胴回り部の下端よりも下側に、前記左右方向に所定の長さを有する圧搾部を少なくとも１つ有していることを特徴とするパンツ型吸収性物品である。  
本発明の他の特徴については、本明細書及び添付図面の記載により明らかにする。
【発明の効果】
【０００７】
本発明によれば、着用者が脚を閉じて吸収性本体を左右方向に締め付けて排泄物を収容する空間（収容空間）が狭められた場合でも、圧搾部によって左右方向の剛性が増すことで、着用者の脚が開かれると、吸収性本体は締め付けられる前の状態に戻りやすくなり、排泄物の収容空間を確保しやすくなる。
【図面の簡単な説明】
【０００８】
【図１】図１Ａは、パンツ型使い捨ておむつ１の概略斜視図である。図１Ｂは、おむつ１の着用状態の一例を示す図である。
【図２】図２は、展開状態且つ伸長状態のおむつ１を肌側面側から見た概略平面図である。
【図３】図３は、図２中のＡ−Ａ矢視で示す概略断面図である。
【図４】図４は、図２中のＢ−Ｂ矢視で示す概略断面図である。
【図５】図５は、吸収体１１を説明する図である。
【図６】図６は、図２の概略平面図の構成を説明する概略図である。
【図７】図７Ａは、おむつ１の脚回り開口部ＬＨの大きさについて説明する図である。図７Ｂは、図７Ａ中のＸ−Ｘ矢視で示す領域における吸収性コア１１Ａの概略断面図である。
【図８】図８は、伸縮領域Ｄｆ、Ｄｂと非伸縮領域Ｆｆ、Ｆｂを説明する図である。
【図９】図９Ａは、別の実施形態にかかる吸収体１１を説明する図である。図９Ｂは、別の実施形態にかかる吸収体１１を説明する図である。
【図１０】図１０は、別の実施形態にかかる展開状態且つ伸長状態のおむつ１を肌側から見た概略平面図である。
【発明を実施するための形態】
【０００９】
本明細書及び添付図面の記載により、少なくとも以下の事項が明らかとなる。
上下方向、左右方向、及び前後方向を有し、吸収性本体、腹側胴回り部、前記腹側胴回り部とは別部材として構成された背側胴回り部、及び一対の脚回り開口部を有するパンツ型吸収性物品であって、前記吸収性本体は、吸収性コア及び前記上下方向に伸縮する脚回り伸縮部材を有し、前記吸収性コアは、２つ折りされており、前側に位置する前側コア部と、後側に位置する後側コア部を有し、前記腹側胴回り部、及び前記背側胴回り部は、前記左右方向に伸縮する胴回り伸縮部材をそれぞれ有し、前記脚回り伸縮部材、及び前記胴回り伸縮部材をそれぞれ伸長させた伸長状態において、前記吸収性本体の前記左右方向の一方側の端と前記腹側胴回り部の下端との交点から前記一方側の前記脚回り開口部の下端までの前記上下方向の長さは、前記交点から前記腹側胴回り部の前記一方側の端までの前記左右方向の長さの１．６５倍より大きく、前記前側コア部は、前記腹側胴回り部の下端よりも下側に、前記左右方向に所定の長さを有する圧搾部を少なくとも１つ有していることを特徴とするパンツ型吸収性物品である。
【００１０】
このようなパンツ型吸収性物品によれば、着用者が脚を閉じて吸収性本体を左右方向に締め付けて排泄物を収容する空間（収容空間）が狭められた場合でも、圧搾部によって左右方向の剛性が増すことで、着用者の脚が開かれると、吸収性本体は締め付けられる前の状態に戻りやすくなり、排泄物の収容空間を確保しやすくなる。
【００１１】
かかるパンツ型吸収性物品であって、前記圧搾部は、前記左右方向の一方側から他方側まで連続した連続圧搾部であり、前記連続圧搾部の上端のうち、前記左右方向において最も下側に位置する部位から最も上側に位置する部位をつなぐ直線と前記左右方向に沿った直線とがなす角度のうち、小さい方の角度が４５度よりも小さいことが望ましい。
【００１２】
このようなパンツ型吸収性物品によれば、圧搾部の最も下側に位置する部位から最も上側に位置する部位をつなぐ直線と左右方向に沿った直線とがなす角度のうち小さい方の角度を４５度以上とした場合よりも、圧搾部による左右方向の剛性が増すため、排泄物を貯留する空間を確保しやすくなる。
【００１３】
かかるパンツ型吸収性物品であって、全ての前記圧搾部の前記左右方向の長さの和は、前記上下方向の長さの和よりも大きいことが望ましい。
【００１４】
このようなパンツ型吸収性物品によれば、全ての圧搾部の左右方向の長さの和が、上下方向の長さの和よりも小さい場合よりも、吸収性コアの左右方向の剛性が増すため、排泄物を貯留する空間を確保しやすくなる。
【００１５】
かかるパンツ型吸収性物品であって、前記圧搾部は、前記左右方向に沿った直線であることが望ましい。
【００１６】
このようなパンツ型吸収性物品によれば圧搾部によって左右方向の剛性が増すため、排泄物を貯留する空間を確保しやすくなる。
【００１７】
かかるパンツ型吸収性物品であって、複数の前記圧搾部が、前記上下方向に配置されていることが望ましい。
【００１８】
このようなパンツ型吸収性物品によれば圧搾部によって左右方向の剛性がより増すため、排泄物を貯留する空間を確保しやすくなる。
【００１９】
かかるパンツ型吸収性物品であって、前記前側コア部は、非肌側面に凸部と凹部を有しており、前記圧搾部が凹部であることが望ましい。
【００２０】
このようなパンツ型吸収性物品によれば、肌側面を内側にして吸収性コアを２つ折りにした場合において、凸部同士が干渉して吸収性コアが曲がりにくくなったり、変形したり、着用者に凸凹の違和感を生じさせてしまったりする恐れを軽減させることができる。
【００２１】
かかるパンツ型吸収性物品であって、前記前側コア部は、上部よりも前記左右方向の長さが短い幅狭部を有していることが望ましい。
【００２２】
このようなパンツ型吸収性物品によれば、着用者である乳幼児は、通常脚を前側に出した姿勢でいることが多く、吸収性コアは幅狭部を有しているため、乳幼児が左右方向に脚を閉じた場合でも、吸収性コアが過度に左右方向の内側に締め付けられて変形したり、排泄物を貯留する空間を狭めたりしてしまう恐れを軽減させることができる。
【００２３】
かかるパンツ型吸収性物品であって、前記幅狭部は、最も前記左右方向の長さが短い最狭部を有し、前記幅狭部に設けられている前記圧搾部の前記左右方向の長さは、前記最狭部の前記左右方向の長さ以上であることが望ましい。
【００２４】
このようなパンツ型吸収性物品によれば、吸収性コアのうち、最も剛性が小さい最狭部の左右方向の長さ以上の圧搾部を設けることで、吸収性コアの左右方向の剛性をより大きくすることができる。
【００２５】
かかるパンツ型吸収性物品であって、前記前側コア部は、前記腹側胴回り部の下端より上側にも前記圧搾部を有しており、前記幅狭部は、最も前記左右方向の長さが短い最狭部を有し、前記前側コア部のうち前記最狭部より上側の領域において、前記前側コア部に設けられている前記圧搾部のうちの、ある圧搾部の前記左右方向の端が、前記前側コア部の前記左右方向の端に接していないことが望ましい。
【００２６】
このようなパンツ型吸収性物品によれば、最狭部より上側のより腹部に近い領域が過度に硬くなってしまう恐れを軽減して、着用者の腹部やそけい部の動きを妨げる恐れを軽減することができる。
【００２７】
かかるパンツ型吸収性物品であって、前記圧搾部は、前記上下方向に複数配置されており、前記上下方向において、前記圧搾部の寸法より、前記隣接する前記圧搾部同士の間隔の寸法の方が長いことが望ましい。
【００２８】
このようなパンツ型吸収性物品によれば、上下方向において、剛性が強い圧搾部の領域よりも圧搾部を設けていない領域をより広くすることによって、過度に吸収性コアが硬くなりすぎてしまう恐れを軽減することができる。
【００２９】
かかるパンツ型吸収性物品であって、前記前側コア部は、液体吸収性繊維を備え、前記液体吸収性繊維の密度が高い高密度領域と、前記液体吸収性繊維の密度が低い低密度領域とを有し、前記圧搾部は、前記高密度領域であり、前記低密度領域の前記上下方向における中央の厚みは、前記圧搾部の前記上下方向における中央の厚みの１．３〜３．０倍であることが望ましい。
【００３０】
このようなパンツ型吸収性物品によれば、吸収性コアの剛性を向上させて、排泄物を貯留する空間を確保しやすくなる。
【００３１】
かかるパンツ型吸収性物品であって、前記前側コア部は、前記腹側胴回り部の下端よりも上側にも前記圧搾部を有していることが望ましい。
【００３２】
このようなパンツ型吸収性物品によれば、腹側胴回り部をより着用者の腹部に密着させやすくできる。
【００３３】
かかるパンツ型吸収性物品であって、前記圧搾部の前記左右方向の中央は、前記吸収性本体の左右方向の中央であることが望ましい。
【００３４】
このようなパンツ型吸収性物品によれば、着用者の動きに対して、吸収性コアが偏った変形をしてしまう恐れを軽減することができる。
【００３５】
かかるパンツ型吸収性物品であって、前記腹側胴回り部は、前記胴回り伸縮部材とともに伸縮する伸縮領域と、伸縮しない非伸縮領域を有しており、前記非伸縮領域は、前記腹側胴回り部の前記左右方向の中央部に設けられており、前記圧搾部の前記左右方向の両端は、前記非伸縮領域の前記左右方向の両端よりもそれぞれ外側に設けられていることが望ましい。
【００３６】
このようなパンツ型吸収性物品によれば、吸収性本体が肌に接する状態を保ちやすくすることができる。
【００３７】
かかるパンツ型吸収性物品であって、前記腹側胴回り部は、前記胴回り伸縮部材とともに伸縮する伸縮領域と、伸縮しない非伸縮領域を有しており、前記非伸縮領域は、前記左右方向の中央部に設けられており、前記圧搾部の前記左右方向の両端は、前記非伸縮領域の前記左右方向の両端よりもそれぞれ内側に設けられていることが望ましい。
【００３８】
このようなパンツ型吸収性物品によれば、腹側の胴回り伸縮部材の収縮で縮めてられて固くなった吸収性本体がより硬くなるのを軽減させて、着用時の肌触りを向上させることができる。
【００３９】
かかるパンツ型吸収性物品であって、前記吸収性本体は、防漏壁伸縮部材、肌側に起立不能な固定部、及び肌側に起立可能な起立部を備えた一対の防漏壁を有し、前記圧搾部の前記左右方向の長さは、前記防漏壁の前記左右方向の内側の端同士の距離以上であることが望ましい。
【００４０】
このようなパンツ型吸収性物品によれば、このようなパンツ型吸収性物品によれば、圧搾部の左右方向の長さが防漏壁の左右方向の内側の端同士の距離よりも短い場合よりも吸収性コアの剛性を向上させることができる。
【００４１】
かかるパンツ型吸収性物品であって、前記圧搾部は、前記上下方向に等間隔に複数配置されていることが望ましい。
【００４２】
このようなパンツ型吸収性物品によれば、圧搾部を等間隔に備えることで、吸収性コアに均等な剛性を与えることができる。
【００４３】
かかるパンツ型吸収性物品であって、前記前側コア部は、複数の前記圧搾部を有し、複数の前記圧搾部のうち、最も下側に位置する下側圧搾部と、前記下側圧搾部に上側から隣接する隣接下側圧搾部との間隔は、前記腹側胴回り部の下端よりも下側に設けられた複数の前記圧搾部のうち、最も上側に位置する上側圧搾部と、前記上側圧搾部に下側から隣接する隣接上側圧搾部との間隔よりも小さいことが望ましい。
【００４４】
このようなパンツ型吸収性物品によれば、このようなパンツ型吸収性物品によれば、吸収性コアのうち、着用者の脚によって収容空間が潰される恐れが低い吸収性コアの上部には、圧搾部をより少なく設ける一方で、排泄物の収容空間が潰されやすい下側には、より多くの圧搾部を設けることで、吸収性コアの左右方向の剛性を高めて収容空間を確保することができる。
【００４５】
＝＝＝実施形態＝＝＝
＜＜＜パンツ型使い捨ておむつの基本構成＞＞＞
図１Ａは、パンツ型使い捨ておむつ１の概略斜視図である。図１Ｂは、おむつ１の着用状態の一例を示す図である。図２は、展開状態且つ伸長状態のおむつ１を肌側面側から見た概略平面図である。図３は、図２中のＡ−Ａ矢視で示す概略断面図である。図４は、図２中のＢ−Ｂ矢視で示す概略断面図である。「展開状態」とは、おむつ１の両側部の、腹側胴回り部２０の側部２０ａと背側胴回り部３０の側部３０ａとの接合をそれぞれ分離し、開いておむつ１全体を平面的に展開した状態である。「伸長状態」とは、おむつ１の皺が視認できなくなる程度まで、おむつ１が備える伸縮部材を伸長させた状態を示す。具体的には、おむつ１を構成する各部材（例えば、後述する腹側胴回り部２０等）の寸法がその部材単体の寸法と一致又はそれに近い寸法になるまで伸長させた状態を示す。図２中のＣ−Ｃ線は左右方向における中心線である。図３では、便宜上、接着剤を省略して示している。
【００４６】
図１に示すように、パンツ型のおむつ１は上下方向と左右方向と前後方向とを有し、おむつ１には胴回り開口部ＢＨ及び一対の脚回り開口部ＬＨが形成されている。上下方向において、胴回り開口部ＢＨ側を上側とし、着用者の股下となる側を下側とする。図２の状態（展開かつ伸長状態）のおむつ１の上下方向を「長手方向」、長手方向の一方側を「腹側」、他方側を「背側」ともいい、長手方向における中央部Ｃ１０側を「下側」ともいう。前後方向において、着用者の腹側となる側を前側とし、着用者の背側となる側を後側とする。また、おむつ１は図３に示すように厚さ方向を有し、厚さ方向において着用者に接触する側を肌側とし、その逆側を非肌側とする。
【００４７】
おむつ１は、所謂３ピースタイプであり、吸収性本体１０、腹側胴回り部２０、腹側胴回り部とは別部材にて構成された背側胴回り部３０とを有する。腹側胴回り部２０は、着用者の腹側を覆い、背側胴回り部３０は、着用者の背側を覆う。吸収性本体１０は平面視略長方形形状である。図３に示すように、吸収性本体１０の腹側の上端部と背側の上端部は、それぞれ胴回り部２０、３０の肌側面と重ね合されている。腹側胴回り部２０、背側胴回り部３０は平面視略長方形状であり、その長手方向が左右方向に沿っている。
【００４８】
図２の展開状態にて示されるように、おむつ１は、中心線Ｃ−Ｃに対して左右対称な形状を有している。腹側胴回り部２０と背側胴回り部３０は長手方向に離間された状態で配置され、腹側胴回り部２０と背側胴回り部３０との間に架け渡されるように吸収性本体１０が配置されている。吸収性本体１０の腹側の上端部、及び背側の上端部のそれぞれ非肌側面と胴回り部２０、３０の肌側面とを接着剤等（不図示）により接合し、図２に示す展開状態から、腹側胴回り部２０と背側胴回り部３０とが対向するように吸収性本体１０を中央部Ｃ１０で二つ折りし、腹側胴回り部２０の左右方向の両側部２０ａと背側胴回り部３０の左右方向の両側部３０ａとを接合することにより、おむつ１はパンツ型となる。
【００４９】
腹側胴回り部２０及び背側胴回り部３０はそれぞれ、不織布等の柔軟な肌側シート２１、３１と非肌側シート２２、３２と、胴回り伸縮部材２３、３３とを備える。胴回り伸縮部材２３、３３によって、腹側胴回り部２０及び背側胴回り部３０は伸縮可能となり、着用者の胴回りにフィットする。肌側シート２１、３１及び非肌側シート２２、３２は、各シート単体としては、左右方向に伸縮性を実質的に有さない非伸縮シートである。肌側シート２１、３１及び非肌側シート２２、３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシート等を用いることができる。
【００５０】
腹側胴回り伸縮部材２３は、左右に伸縮する複数の糸ゴム２３ａと上下及び左右方向に伸縮する伸縮シート２３ｂである。糸ゴム２３ａは、肌側シート２１と非肌側シート２２との間で、且つ、腹側胴回り部２０の上端部を除く全域に上下方向に間隔を空けて、左右方向に伸長した状態で固定されている。伸縮シート２３ｂは、非肌側から肌側に折り返された非肌側シート２２と肌側シート２１との間で、吸収性本体１０よりも非肌側に配置され、且つ、腹側胴回り部２０の上端部に、左右方向に伸長した状態で固定されている。伸縮シート２３ｂは、弾性を有する熱可塑性エラストマー性繊維であるポリウレタン系エラストマーと、非弾性を有する熱可塑性樹脂性繊維であるポリオレフィン系樹脂のポリプロピレン（ＰＰ）とを有する、ギア延伸等の適宜な延伸処理が施された不織布やプラスチック製の伸縮性を有するフィルムシート等である。
【００５１】
このように、腹側胴回り部２０の上端部に糸ゴム２３ａを配置せずに伸縮シート２３ｂを配置することで、腹側胴回り部２０の上端部が面で着用者にフィットする。そのため、腹部の局所的な締め付けを抑え、腹側胴回り伸縮部材２３によって肌に締め付けた跡が残り難くすることができる。特に、乳幼児の腹部は、背側に比べて前にせり出しているため、腹側胴回り２０が局所的に締め付けてしまう恐れを軽減することがより好ましい。
【００５２】
背側胴回り伸縮部材２３は、背側胴回り部３０の上端部から下端部に亘って上下方向に間隔を空けて配された、左右方向に伸縮する複数の糸ゴム３３であり、肌側シート３１と非肌側シート３２との間に左右方向に伸長した状態で固定されている。
【００５３】
なお、腹側胴回り部２０及び背側胴回り部３０は、それぞれ腹側胴回り伸縮部材２３及び背側胴回り伸縮部材３３とともに伸縮する伸縮領域Ｄｆ、Ｄｂと、腹側胴回り伸縮部材２３及び背側胴回り伸縮部材３３とともに伸縮しない非伸縮領域Ｆｆ、Ｆｂを有する。図８は、伸縮領域Ｄｆ、Ｄｂと非伸縮領域Ｆｆ、Ｆｂを説明する図である。図８において、右斜め下のハッチングで伸縮領域Ｄｆ、Ｄｂを示し、左斜め下のハッチングで非伸縮領域Ｆｆ、Ｆｂを示している。非伸縮領域Ｆｆ、Ｆｂは、腹側胴回り部２０及び背側胴回り部３０のそれぞれ左右方向の中央部で、吸収性コア１１Ａと前後方向で重なる領域に設けられている。非伸縮領域Ｆｆ、Ｆｂを設けることで、伸縮部材２３、３３の収縮によって吸収性コア１１Ａが左右方向に縮められて変形してしまう恐れを軽減している。
【００５４】
図４は、図２中のＢ−Ｂ矢視で示す概略断面図である。図４は、厚さ方向に関して構成を理解しやすいように寸法を適宜変更して示している。図４に示すように、吸収性本体１０は、厚さ方向の肌側から順に、一対の防漏壁部材１５、トップシート１２、吸収体１１と、バックシート１３、外装シート１４とを備え、それぞれホットメルト等の接着剤によって接着されている。トップシート１２は液透過性シートであればよく、親水性のエアスルー不織布やスパンボンド不織布等を例示できる。バックシート１３は液不透過性シートであればよく、ポリエチレンフィルムやポリプロピレンフィルム、疎水性のＳＭＳ不織布等を例示できる。トップシート１２及びバックシート１３は吸収体１１全体を覆う大きさとする。防漏壁部材１５及び外装シート１４は、液透過性シートでも液不透過性シートでもよく、疎水性のＳＭＳ不織布等を例示できる。ただし、本実施形態では防漏壁部材１５及び外装シート１４によって防漏壁部５０及びレッグギャザー部６０がそれぞれ形成されるため、防漏壁部材１５及び外装シート１４は液不透過性の素材で構成されることが好ましい。
【００５５】
吸収体１１は、平面視略矩形形状であり、尿等の液体を吸収して保持する吸収性コア１１Ａと、吸収性コア１１Ａの外周面を被覆するコアラップシート１１Ｂとを備える。図５は、吸収体１１を説明する図である。コアラップシート１１Ｂとしては、ティッシュペーパーや不織布等の液透過性シートを例示できる。図５において、便宜上、コアラップシート１１Ｂに覆われた吸収性コア１１Ａを実線で示している。
【００５６】
吸収性コア１１Ａは、高吸収性ポリマー（ＳＡＰ）を含むパルプ等の液体吸収性繊維を略砂時計形状に成形されたものである。本実施形態において、吸収性コア１１Ａの液体吸収性繊維の坪量は、吸収性コア１１Ａ全域において略均一である。吸収性コア１１Ａのうち、中央部Ｃ１０より腹側（前側）に位置する部分は前側コア部１１Ａｆであり、中央部Ｃ１０より背側（後側）に位置する部分は後側コア部１１Ａｂである。図５等に示すように、吸収性コア１１Ａの長手方向の中央部を左右方向の長さを短くし、くびれさせている。具体的には、前側コア部１１Ａｆの上部１１ｆｕより下側に前側幅狭部（「幅狭部」ともいう。）１１ｆｎと、後側コア部１１Ａｂの上部１１ｂｕより下側に後側幅狭部１１ｂｎを設けている。前側幅狭部１１ｆｎの長手方向の長さは、後側幅狭部１１ｂｎの長手方向の長さよりも長い。また、吸収性コア１１Ａの左右方向の長さが一番短い部分である最狭部１１ｎは、前側コア部１１Ａｆの幅狭部１１ｆｎに設けられている。さらに、吸収性コア１１Ａには、左右方向に沿った形状の圧搾部Ｅが、上下方向に所定の間隔毎に複数設けられている。圧搾部Ｅについては、後述する。また、後側コア部１１Ａｂに、厚さ方向（前後方向）に貫通したスリットＳを備えることで、吸収性コア１１Ａが着用者のお尻の形状に沿いやすくしている。
【００５７】
一対の防漏壁部材１５は、一対の防漏壁部５０を構成する。一対の防漏壁部５０は、所謂立体ギャザーであり、吸収性本体１０の長手方向に沿って、吸収体１１の左右方向の両側部に設けられている。具体的には、複数の防漏壁伸縮部材５１を内側に挟んだ状態で二つ折りされた防漏壁部材１５の折り目部分を左右方向の内側に配置し、吸収性本体１０の左右方向の側端から吸収体１１の左右方向の側部に重ね合される位置まで設けている。
【００５８】
図６は、図２の概略平面図の構成を説明する概略図である。なお、図６では、便宜上、図２の概略平面図から胴回り伸縮部材２３、３３やスリットＳ等を省略して示している。一対の防漏壁部５０は、外装シート１４やトップシート１２に防漏壁部材１５を接合する一対のエンド接合部５２と一対のサイド接合部５３と、長手方向（上下方向）に伸縮する複数の防漏壁伸縮部材５１を備え、肌側に起立不能な一対の固定部５５、５５と、肌側に起立可能な一対の起立部５６を備える。防漏壁部５０のうち、腹側胴回り部２０の側の上端からエンド接合部５２の下端まで、及び背側胴回り部３０の側の上端からエンド接合部５２の下端までの各領域が固定部５５である。そして、防漏壁部５０のうち、腹側胴回り部２０の側におけるエンド接合部５２の下端より下側で、且つ、背側胴回り部３０の側におけるエンド接合部５２の下端より下側の領域が起立部５６である。この防漏壁部５０によって横流れした排泄物が堰き止められる。
【００５９】
一対のエンド接合部５２及び一対のサイド接合部５３は、ホットメルト接着剤等の接着剤で接合している部分である。なお、エンド接合部５２及びサイド接合部５３の接合は、接着剤による固定に限らず、圧搾や圧着等により固定を行ってもよい。
【００６０】
一対のエンド接合部５２は、吸収性本体１０の長手方向の両端部に配置されており、固定部５５を肌側に起立不能とするための「接着部」である。エンド接合部５２は、長手方向において、吸収性本体１０の端から吸収体１１の上側端部に重なる位置まで設けられている。一対のサイド接合部５３は、吸収性本体１０の長手方向の一端から他端まで設けられているものと吸収性本体１０の腹側の端から長手方向の中央部Ｃ１０まで設けられているものとがある。それぞれエンド接合部５２よりも左右方向の外側に配置されている。
【００６１】
防漏壁部５０は、防漏壁伸縮部材５１の収縮によって、サイド接合部５３に左右方向内側から隣接する部分を基点に起立部５６が肌側に起立可能となる。なお、複数本の防漏壁伸縮部材５１をそれぞれ離間させて設けることで、防漏壁部５０の起立状態では、着用者の肌に防漏壁部５０を面で接触させやすくなり、肌触りを向上させることができる。
【００６２】
外装シート１４は、脚回り伸縮部材１６を備えた一対のレッグギャザー部６０を構成する。レッグギャザー部６０は、脚回り開口部ＬＨを形成する部分であり、脚回り伸縮部材１６の収縮により着用者の脚にフィットする。
【００６３】
左右方向の両端部が内側に折り返されており、折り返された外装シート１４同士の間に脚回り伸縮部材１６を配置して、レッグギャザー部６０を構成する。脚回り伸縮部材１６は、長手方向に沿った複数本の糸ゴムであり、左右方向の内側に折り返されて２層となった外装シート１４の間に、吸収性本体１０の長手方向に伸長された状態で固定されている。
【００６４】
脚回り伸縮部材１６として糸ゴムを用いる場合、複数本配置することが好ましく、より好ましくは５本以上配置することがよい。図２等においては、８本の脚回り伸縮部材１６を左右方向に並べて配置している。仮に脚回り伸縮部材１６が１本の場合には、着用者の脚を局所的に締め付けてしまう恐れがあるが、脚回り伸縮部材１６をより多く設けることで、レッグギャザー部６０は全体的に面でフィットしやすくなり、着用者の脚を局所的に締め付けてしまう恐れを軽減させることができる。
【００６５】
脚回り伸縮部材１６の数をより多く、左右方向により広く配置すると、レッグギャザー部６０を脚により面でフィットさせやすくなる。図７Ａは、おむつ１の脚回り開口部ＬＨの大きさについて説明する図である。図７Ａは、パンツ型のおむつ１の各伸縮部材２３、３３、５１、１６をそれぞれ伸長させた状態を示している。図７Ａに示すように、脚回り開口部ＬＨは、吸収性本体１０の左右方向の一方側の端と腹側胴回り部２０の下端との交点Ｐから脚回り開口部ＬＨの下端までの上下方向の長さ（Ｌ１）と、交点Ｐから腹側胴回り部２０の左右方向の一方側の端までの左右方向の長さ（Ｌ２）に応じて決まる。
【００６６】
吸収性本体１０の左右方向の長さを長くするほど、脚回り伸縮部材１６を多く配置することができる。すなわち、交点Ｐから脚回り開口部ＬＨの下端までの上下方向の長さ（Ｌ１）を、交点Ｐから腹側胴回り部２０の左右方向の一方側の端までの左右方向の長さ（Ｌ２）の１．６５倍以上にするのが好ましい。しかし、長さＬ１を長さＬ２の１．６５倍よりも大きくすると、吸収性本体１０の左右方向の長さがより長くなるため、着用状態において（図１Ｂ）、着用者が脚を閉じると、吸収性本体１０を左右方向に潰しやすくなってしまう。おむつ１の主な着用対象者である乳幼児は、脚を前に出した姿勢でいることが多いため、着用者の脚によって、図１Ａに示す腹側に位置する吸収性本体１０のうち、吸収性コア１１が設けられていないサイド領域Ｎが左右方向の内側に押し潰され、吸収性本体１０の左右方向の中央領域Ｍが前側に飛び出しやすい。
【００６７】
通常、着用状態の吸収性本体１０及び吸収性コア１１は、横から見ると略Ｕ字形状を有している。おむつ１は、尿等の液体だけでなく便等の固体も収容する必要があるため、吸収性コア１１Ａ及び吸収性本体１０の肌側には、排泄物を貯留しておくための収容空間が必要となる。しかし、従来の使い捨ておむつでは、一旦、中央領域Ｍが前側に飛び出した状態となると、吸収性コア１１Ａは、左右方向の中央部が前側に突出し、左右方向の側部が凹んだ凸形状となってしまい、吸収性本体１０の収容空間が狭められてしまう。一旦、収容空間が狭められると、着用者が脚を開いても、吸収性本体１０は、中央領域Ｍが前側に突出した形状を維持し、収容空間が狭められたままとなり、収容空間で収容しきれなくなった排泄物がおむつから漏れたり、排泄物が局所的に留められてしまう恐れがあり、排泄物が局所的に留められると着用状態のおむつが下側に垂れ下がって見えてしまうため、おむつの交換時期を早めてしまうことがあった。
【００６８】
この課題を解決すべく、おむつ１には吸収性コア１１Ａに圧搾部Ｅを設けている。以下、圧搾部Ｅについて説明する。
【００６９】
＝＝＝圧搾部Ｅ＝＝＝
圧搾部Ｅは、複数の突部を有する凸ローラー（不図示）と、表面が平らなアンビルローラー（不図示）とのあいだのロール間隙に、加工前の吸収性コア１１Ａを通して、吸収性コアの非肌側から圧搾加工を行うことにより形成される。図７Ｂは、図７Ａ中のＸ−Ｘ矢視で示す領域における吸収性コア１１Ａの概略断面図である。吸収性コア１１Ａのうち、圧搾加工を行っていない領域は、非圧搾部Ｕである。
【００７０】
圧搾部Ｅは、圧搾によって形成された溝であり、非圧搾部Ｕよりもパルプ等の液体吸収性繊維の密度が高く、非圧搾部Ｕよりも剛性が高い。本実施形態において、圧搾部Ｅの溝の深さは略均一である。溝の深さによって、液体吸収性繊維の密度が変化し、溝が深いほど液体吸収性繊維の密度が高くなり、溝が浅いほど液体吸収性繊維の密度が低くなる。図５等に示すように、圧搾部Ｅは左右方向に沿った形状であり、左右方向の長さＷｅは７０ｍｍ、圧搾部Ｅの上下方向の長さＤｅは３ｍｍであり、圧搾部Ｅは上下方向に等間隔に配置されており、上下方向に隣接する圧搾部Ｅ同士の間隔Ｄｕは１０ｍｍである。また、圧搾部Ｅの左右方向の中央は、吸収性コア１１Ａの中央であり、吸収性コア１１Ａは左右対称な形状である。
【００７１】
非圧搾部Ｕは、圧搾部Ｅよりも厚みが大きい。そのため、吸収性コア１１Ａは、非肌側面に凸部と凹部を有することが好ましい。図７Ｂに示すように、吸収性コア１１Ａは、肌側面は概ね平らであり、非肌側面に凸部と凹部を有する。凸部が非圧搾部Ｕであり、凹部が圧搾部Ｅである。このようにすることで、パンツ型のおむつ１の吸収性コア１１Ａの肌側を内側にして、長手方向の中央部で二つ折りにした際に、吸収性コア１１Ａの肌側面で吸収性コア１１Ａの凸部と凹部が干渉し合って吸収性コア１１Ａを曲がりにくくなるのを防ぐことができる。また、肌側面を概ね平らにすることで、着用者に吸収性コア１１Ａの凸凹や剛性の高い圧搾部Ｅによる違和感を生じさせる恐れを軽減させることができる。
【００７２】
図２等に示すように、前側コア部１１Ａｆに、腹側胴回り部２０の下端よりも下側に、左右方向に所定の長さを有する圧搾部Ｅを設けて、剛性が高い圧搾部Ｅによって、腹側胴回り部２０の下端よりも下側の領域の前側コア部１１Ａｆの左右方向の剛性を高めている。これによって、吸収性コア１１Ａの左右方向の変形に対して強度が増し、吸収性コア１１Ａの左右方向の平面形状を維持しやすくなる。吸収性本体１０の左右方向の長さが長く、着用者が脚を閉じると吸収性本体１０を左右方向の内側に締め付けやすいおむつ１であっても、一旦は脚の締め付けで吸収性本体１０の中央部Ｍ（図１Ａ）が飛び出して、排泄物を貯留する収容空間が狭められたとしても、着用者の脚が左右方向の外側に開かれると、吸収性コア１１Ａが左右方向の平面形状を維持しようとするため、吸収性本体１０の中央部Ｍが飛び出した状態を解消させやすくなる。中央部Ｍの飛び出しを解消すると、吸収性本体１０の形状は潰される前の状態に戻りやすくなり、排泄物の収容空間を確保しやすくなる。収容空間を確保することで、おむつ１から排泄物が漏れてしまう恐れを軽減することができる。また、排泄物が吸収性本体１０内の局所的に留められることを軽減するため、吸収性本体１０が排泄物によって垂れ下がったように見える恐れを軽減し、おむつ１の交換時期を早めてしまう恐れも軽減することができる。
【００７３】
なお、圧搾部Ｅを、前側コア部１１Ａｆには、腹側胴回り部２０の下端よりも下側に、少なくとも１つ設けることで、吸収性コア１１Ａの剛性を増すことができ、吸収性本体１０の排泄物の収容空間を確保することができる。ただし、図２等に示すように、複数の圧搾部Ｅを上下方向に並べて配置することがより好ましい。これによって、左右方向の剛性をより高めることができる。
【００７４】
さらに、図２等に示すように、圧搾部Ｅを上下方向に等間隔に配置することが好ましい。上下方向に等間隔に配置された圧搾部Ｅによって、吸収性コア１１Ａに上下方向に均等な剛性を付与することができるため、吸収性コア１１Ａが偏った変形してしまう恐れを軽減させやすくなる。
【００７５】
同様に、圧搾部Ｅの左右方向の中央を吸収性コア１１Ａの左右方向の中央で、且つ吸収性本体１０の左右方向の中央に設けることで、着用者の動きに対して、吸収性コア１１Ａが左右方向について偏った変形をしてしまう恐れを軽減することができる。
【００７６】
全ての圧搾部Ｅの、左右方向の長さＷｅの和（ΣＷｅ）が、上下方向の長さＤｅの和（ΣＤｅ）よりも大きい（ΣＷｅ＞ΣＤｅ）。つまり、図５に示すように、複数の圧搾部Ｅは、長手方向に沿って圧搾部Ｅ１、Ｅ２、Ｅ３、・・・が腹側から順に配置されている。このとき、全ての圧搾部Ｅ（Ｅ１、Ｅ２、Ｅ３、・・・）の左右方向の長さＷｅの和（Ｗｅ１＋Ｗｅ２＋Ｗｅ３＋・・・）が、全ての圧搾部Ｅ（Ｅ１、Ｅ２、Ｅ３、・・・）の上下方向の長さ（Ｄｅ１＋Ｄｅ２＋Ｄｅ３＋・・・）よりも大きいことが好ましい。これによって、全ての圧搾部Ｅの、左右方向の長さの和（ΣＷｅ）が、上下方向の長さの和（ΣＤｅ）よりも小さい場合よりも、吸収性コア１１Ａの左右方向の剛性を高くすることができ、排泄物を貯留する収容空間を確保しやすくなる。
【００７７】
なお、圧搾部Ｅは湾曲した形状であったり、１つ以上の角を有する形状であったりするなど所望の形状でもよい。ただし、所望の形状であっても、全ての圧搾部Ｅの、左右方向の長さＷｅの和（ΣＷｅ）が、上下方向の長さＤｅの和（ΣＤｅ）よりも大きい（ΣＷｅ＞ΣＤｅ）ことが好ましい。全ての圧搾部Ｅの、左右方向の長さの和（ΣＷｅ）が、上下方向の長さの和（ΣＤｅ）よりも小さい場合よりも、吸収性コア１１Ａの左右方向の剛性を高くすることができるためである。
【００７８】
圧搾部Ｅは、左右方向に沿った直線形状であることがより好ましい。剛性を高くした領域が左右方向に沿った直線となるため、吸収性コア１１Ａの左右方向の剛性を増しやすくなり、排泄物を貯留する空間を確保しやすくなる。
【００７９】
上下方向においては、圧搾部Ｅの寸法（Ｄｅ）より、隣接する圧搾部Ｅ同士の間隔の寸法Ｄｕの方が長い（Ｄｅ＜Ｄｕ）。つまり、圧搾部Ｅの上下方向の長さ（Ｄｅ）より、上下方向に隣接する圧搾部Ｅの間隔（Ｄｕ）の方が長いため、上下方向においては、圧搾部Ｅの剛性が高い領域よりも、非圧搾部Ｕの剛性が低い領域の方が長い。そのため、圧搾部Ｅによって吸収性コア１１Ａが硬くなりすぎる恐れを軽減させることができ、着用者が感じる肌触りを向上させることができる。
【００８０】
図７Ｂに示すように、液体吸収性繊維が低密度である非圧搾部Ｕの上下方向における中央の厚み（Ｔｕ）が、液体吸収性繊維が高密度である圧搾部Ｅの上下方向における中央の厚み（Ｔｅ）の１．３〜３．０倍であることが好ましい（Ｔｅ×１．３≦Ｔｕ≦Ｔｅ×３．０）。非圧搾部Ｕの上下方向における中央の厚みＴｕを圧搾部Ｅの上下方向における中央の厚みＴｅの１．３倍よりも小さくすると、排泄物を貯留する収容空間を確保するために必要な吸収性コア１１Ａの左右方向の剛性を確保することができない。一方、非圧搾部Ｕの上下方向における中央の厚みＴｕを圧搾部Ｅの上下方向における中央の厚みＴｅの３．０倍よりも大きくすると、圧搾部Ｅの厚みが薄くなりすぎてしまって、圧搾部Ｅが変形の折れ起点になってしまう恐れや、圧搾部Ｅの液体吸収性繊維の密度が高くなりすぎて、長手方向への排泄物の拡散を悪化させる恐れがある。そのため、液体吸収性繊維が高密度である圧搾部Ｅの上下方向における中央の厚み（Ｔｅ）の１．３〜３．０倍とすることで、吸収性コア１１Ａの変形や排泄物の漏れを防止しつつ、吸収性コア１１Ａの左右方向の剛性を高くすることができるため、排泄物を貯留する収容空間を確保しやすくなる。
【００８１】
また、圧搾部Ｅの左右方向の長さ（Ｗｅ）が、防漏壁部５０の左右方向の内側の端同士の距離（Ｄｇ）以上であることが好ましい（Ｗｅ≧Ｄｇ）。図２に示すように、圧搾部Ｅの左右方向の長さ（Ｗｅ）は、防漏壁の左右方向の内側の端同士の距離（Ｄｇ）に等しい（Ｗｅ＝Ｄｇ）。このようにすることで、圧搾部Ｅの左右方向の長さ（Ｗｅ）が、防漏壁部５０の左右方向の内側の端同士の距離（Ｄｇ）より短い場合よりも、吸収性コア１１Ａの剛性を高めることができる。なお、圧搾部Ｅの左右方向の長さ（Ｗｅ）を長くすればするほど、吸収性コア１１Ａの左右方向の剛性は高くなる。
【００８２】
図２等に示すように、吸収性コア１１Ａは、上部１１ｆｕ、１１ｂｕよりも左右方向の長さが短い幅狭部１１ｆｎ、１１ｂｎを有している。前側コア部１１Ａｆに、前側幅狭部１１ｆｎを設けることで、脚を前側に出した姿勢でいることが多い乳幼児が着用して、左右方向に脚を閉じた場合であっても、吸収性コア１１Ａが脚の動きを妨げる恐れを軽減させ、吸収性コア１１Ａを過度に左右方向の内側に押し潰してしまう恐れを軽減させることができるため、排泄物を貯留する収容空間を狭める恐れを軽減させることができる。
【００８３】
さらに、前側幅狭部１１ｆｎに設けられている圧搾部Ｅの左右方向の長さ（Ｗｅ）が、最狭部１１ｎの左右方向の長さ（Ｗｎ）以上であることがより好ましい。前側幅狭部１１ｆｎ、最狭部１１ｎを有する吸収性コア１１Ａは、前側幅狭部１１ｆｎ等を有さない吸収性コアよりも左右方向の剛性が低くなってしまう。そのため、左右方向の剛性が最も低い最狭部１１ｎの左右方向の長さ以上の長さを有する圧搾部Ｅを設けることで、圧搾部Ｅの左右方向の長さが最狭部１１ｎの左右方向の長さより短い場合よりも吸収性コア１１Ａの左右方向の剛性を高くすることができる。
【００８４】
前側コア部１１Ａｆの最狭部１１ｎより上側の領域において、圧搾部Ｅの左右方向の端が、前側コア部１１Ａｆの左右方向の端に接していないことがより好ましい。つまり、図５において、圧搾部Ｅ１、Ｅ２、Ｅ３の左右方向の各端と、前側コア部１１Ａｆの左右方向の端との間に非圧搾部Ｕを有している。前側コア部１１Ａｆのうち、最狭部１１ｎより上側は、腹部に近い領域であるため、圧搾部Ｅを広く形成すると、着用者は吸収性コア１１Ａの硬さを感じてしまう恐れがある。そのため、着用者の腹部やそけい部の動きを制限しないようにし、吸収性コア１１Ａが過度に硬くなるのを防ぐことができる。
【００８５】
図２等に示すように、圧搾部Ｅは、前側コア部１１Ａｆのうち、腹側胴回り部２０の下端よりも上側にも設けられていることが好ましい。つまり、腹側胴回り部２０と前後方向で重なる部分に圧搾部Ｅを備えることが好ましい。これにより、剛性の高くなった吸収性コア１１Ａを腹側胴回り部２０の腹側胴回り伸縮部材２３で着用者の肌に押し当て密着させることができるため、吸収性本体１０を着用者の肌にフィットさせやすくなる。
【００８６】
図８に示すように、前側コア部１１Ａｆの圧搾部Ｅの左右方向の両端が、非伸縮領域Ｆｆよりもそれぞれ外側に設けられていることが好ましい。非伸縮領域Ｆｆは腹側胴回り伸縮部材２３の収縮力が働かない領域であるため、吸収性本体１０が着用者の肌から離れて浮きやすい領域である。そのため、非伸縮領域Ｆｆよりも左右方向に長い領域に亘って吸収性コア１１Ａの剛性を高めることで、吸収性本体１０が肌に接する状態を保ちやすくなる。なお、圧搾部Ｅの左右方向の両端がそれぞれ伸縮領域Ｄｆ内に設けられていることがより好ましい。伸縮領域Ｄｆが圧搾部Ｅの各両端を肌に接する方向への力を加えるため、非伸縮領域Ｆｆと前後方向で重なる吸収性本体１０の部分についても着用者の肌に接してフィットした状態に維持しやすくなる。
【００８７】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８８】
上述の実施形態においては、左右方向に沿った直線状の圧搾部Ｅを設けたが、圧搾部の形状はこれに限られない。左右方向に所定の長さを有する圧搾部Ｅであれば、波型等の所望の形状とすることができる。図９Ａは、別の実施形態にかかる吸収体１１を説明する図である。図９Ａにおいては、吸収性コア１１Ａ等は、コアラップシート１１Ｂに覆われているが、便宜上実線で示している。図９Ａに示すように、腹側に凸形状を有する山型の圧搾部Ｅであってもよい。圧搾部Ｅは、左右方向の一方側から他方側まで連続した連続圧搾形状を有している。圧搾部Ｅの上端のうち、左右方向において、最も下側に位置する部位Ｅｊから最も上側に位置する部位Ｅｋをつなぐ直線と、左右方向に沿った直線とがなす角度のうち、小さい方の角度θｅが４５度よりも小さいことが好ましい（θｅ＜４５°）。これによって、θｅが４５度以上であった場合よりも、圧搾部Ｅによって吸収性コア１１Ａの剛性を高くすることができるため、排泄物を貯留する収容空間を確保しやすくなる。
【００８９】
この場合においても、全ての圧搾部Ｅの、左右方向の長さＷｅの和（ΣＷｅ）が、上下方向の長さＤｅの和（ΣＤｅ）よりも大きい（ΣＷｅ＞ΣＤｅ）。つまり、図９Ａに示すように、複数の圧搾部Ｅは、長手方向に沿って圧搾部Ｅ２１、Ｅ２２、Ｅ２３、・・・が腹側から順に配置されている。このとき、全ての圧搾部Ｅ（Ｅ２１、Ｅ２２、Ｅ２３、・・・）の左右方向の長さＷｅの和（Ｗｅ２１＋Ｗｅ２２＋Ｗｅ２３＋・・・）が、全ての圧搾部Ｅ（Ｅ２１、Ｅ２２、Ｅ２３、・・・）の上下方向の長さ（Ｄｅ２１＋Ｄｅ２２＋Ｄｅ２３＋・・・）よりも大きいことが好ましい。これによって、全ての圧搾部Ｅの、左右方向の長さの和（ΣＷｅ）が、上下方向の長さの和（ΣＤｅ）よりも小さい場合よりも、吸収性コア１１Ａの左右方向の剛性を高くすることができる。
【００９０】
また、上述の実施形態においては、圧搾加工を施した部分を、圧搾部Ｅの左右方向の長さ（Ｗｅ）及び最狭部１１ｎの左右方向の長さ（Ｗｎ）と同じとしたが、図９Ｂに示すように、圧搾加工を施した部分（Ｒ）の長さ（Ｗｒ）を、圧搾部Ｅの左右方向の長さ（Ｗｅ）及び最狭部１１ｎの左右方向の長さ（Ｗｎ）よりも長く設けてもよい。図９Ｂは、別の実施形態にかかる吸収体１１を説明する図である。図９Ｂでは、吸収性コア１１Ａ等は、コアラップシート１１Ｂに覆われているが、便宜上実線で示している。図９Ｂは、吸収性コア１１Ａをコアラップシート１１Ｂで覆った状態で圧搾加工をして形成した吸収体１１を示している。吸収性コア１１Ａよりも左右方向の外側に圧搾加工が施された領域は、コアラップシート１１Ｂ同士が圧搾加工された部分である。このように、吸収性コア１１Ａ内だけでなく、吸収性コア１１Ａが設けられていない領域に圧搾加工を施して、コアラップシート１１Ｂ同士を圧搾加工してもよい。図９Ｂに示す例においては、吸収性コア１１Ａの最狭部１１ｎの端までしっかりと圧搾加工をすることができるため、吸収性コア１１Ａの左右方向の剛性を確実に高めることができる。
【００９１】
さらに、上述の実施形態においては、圧搾部Ｅを上下方向において等間隔に配置したが、これに限られない。圧搾部Ｅを不等間隔に配置してもよい。例えば、図１０は、別の実施形態にかかる展開状態且つ伸長状態のおむつ１を肌側から見た概略平面図である。図１０に示すように、前側コア部１１Ａｆの圧搾部Ｅのうち、最も下側に位置する下側圧搾部Ｅａと、下側圧搾部Ｅａに上側から隣接する隣接下側圧搾部Ｅｂとの間隔Ｄａｂを、腹側胴回り部２０の下端よりも下側に設けられた圧搾部Ｅのうち最も上側に位置する上側圧搾部Ｅｃと、上側圧搾部Ｅｃに下側から隣接する隣接上側圧搾部Ｅｄとの間隔Ｄｃｄよりも小さくてもよい（Ｄａｂ＜Ｄｃｄ）。このようにすることで、前側コア部１１Ａｆのうち、着用者の脚によって収容空間が潰される恐れが低い前側コア部１１Ａｆの上側の領域は、圧搾部Ｅをより少なく設けて、吸収性コア１１Ａが過度に硬くなってしまう恐れを防ぐことができる。一方、排泄物の収容空間が潰されやすい前側コア部１１Ａｆの下側の領域には、より多くの圧搾部Ｅを設けることで、吸収性コア１１Ａの左右方向の剛性を高めて収容空間を確保しやすくすることができる。
【００９２】
また、上述の実施形態においては、圧搾部Ｅの左右方向の両端を非伸縮領域Ｆｆの左右方向の両端よりも外側に設けることにしたが、これに限られない。圧搾部Ｅの左右方向の両端が、非伸縮領域Ｆｆの左右方向の両端よりも内側に設けていてもよい。このようにすることで、一般的に吸収性本体１０は、腹側胴回り伸縮部材２３の収縮によって硬くなる部分が生じてしまう部分に圧搾部Ｅを設けないようにすることができるため、着用時の肌触りをより向上させることができる。
【００９３】
上述の実施形態においては、吸収性コア１１Ａに、全て同じ溝の深さの圧搾部Ｅを複数形成したが、これに限られない。吸収性コア１１Ａ内において、異なる深さの圧搾部Ｅを形成してもよい。例えば、前側コア部１１Ａｆのうち、より左右方向の剛性を高くしたい前側コア部Ａの下側の領域には、より深い溝の圧搾部Ｅを形成し、腹側胴回り部２０に近い部分には、より浅い溝の圧搾部Ｅを形成してもよい。
【００９４】
また、吸収性コア１１Ａに施す圧搾部Ｅの左右方向の長さ及び上下方向の長さは、必ずしも全て同じでなくてもよい。おむつ１の圧搾部Ｅは、全ての圧搾部Ｅの左右方向の長さ及び上下方向の長さを同じとしたが、それぞれ異なる長さとすることもできる。例えば、より左右方向の剛性を高くしたい前側コア部Ａの下側の領域には、左右方向の長さ及び上下方向の長さがそれぞれ長い圧搾部Ｅを形成し、吸収性本体１０の変形がより少ない腹側胴回り部２０に近い部分には、左右方向の長さ及び上下方向の長さがそれぞれ短い圧搾部Ｅを形成してもよい。
【００９５】
上述の実施形態においては、最狭部１１ｎにおいては、圧搾部Ｅの左右方向の両端は吸収性コア１１Ａの左右方向の両端にそれぞれ達しており、最狭部１１ｎより上側においては、圧搾部Ｅの左右方向の両端が吸収性コア１１Ａの左右方向の両端に達していないものとしたが、これに限られない。例えば、最狭部１１ｎより上側の領域を含め、前側コア部１１Ａｆの全域において、圧搾部Ｅの左右方向の両端が、吸収性コア１１Ａの左右方向の両端にそれぞれ達していてもよい。より広い範囲において、圧搾部Ｅの左右方向の両端が吸収性コア１１Ａの左右方向の両端にそれぞれ達した状態とすることで、前側コア部１１Ａｆの左右方向の剛性をより高くすることができる。
【００９６】
さらに、本実施形態においては、前側コア部１１Ａｆに最狭部１１ｎを備える吸収性コア１１Ａとしたがこれに限られない。例えば、吸収性コア１１Ａは、最狭部１１ｎをおむつ１の下部に備え、前側コア部１１Ａｆから後側コア部１１Ａｂに連続した領域に設けていてもよい。また、幅狭部１１ｆｎ、１１ｂｎを有さない長方形の吸収性コア１１Ａであってもよい。
【００９７】
上述の実施形態においては、図２等に示すように、おむつ１が左右対称な形状として、交点Ｐから脚回り開口部ＬＨの下端までの上下方向の長さ（Ｌ１）を、交点Ｐから腹側胴回り部２０の左右方向の一方側の端までの左右方向の長さ（Ｌ２）の１．６５倍以上とし、他方側も同様であるとしたが、これに限られない。例えば、おむつ１が左右非対称な形状で、左右方向の一方側においては、交点Ｐから脚回り開口部ＬＨの下端までの上下方向の長さ（Ｌ１）を、交点Ｐから腹側胴回り部２０の左右方向の一方側の端までの左右方向の長さ（ｌ２）の１．６５倍以上とし（Ｌ１≧Ｌ２×１．６５）、左右方向の他方側においては、交点Ｐから脚回り開口部ＬＨの下端までの上下方向の長さ（Ｌ１）を、交点Ｐから腹側胴回り部２０の左右方向の一方側の端までの左右方向の長さ（ｌ２）の１．６５倍より小さい長さ（Ｌ１＜Ｌ２×１．６５）としてもよい。このような場合においても、腹側胴回り部２０の下端よりも下側に、左右方向に所定の長さを有する圧搾部Ｅを設けることで、吸収性コア１１Ａの剛性を向上させて、変形を軽減させることができる。
【００９８】
上述の実施形態においては、腹側胴回り部２０、背側胴回り部３０、防漏壁部５０、及び脚回り部６０が備える伸縮部材（２２、３２、５１、１６）として糸ゴム及び伸縮シートを例示しているがこれに限らない。例えば、糸ゴムや伸縮シートだけでなく、伸縮性フィルム等のシート状の伸縮部材を単数又は複数配してもよい。また、図面には伸縮部材のうち伸縮性を発現する部位（所謂有効長の部位）のみを示している。そのため図示する伸縮部材の長手方向の外側に伸縮性を発現しない伸縮部材の部位が存在していてもよい。また、伸縮部材の配置や本数も図示する構成に限らない。
【符号の説明】
【００９９】
１  おむつ（パンツ型使い捨ておむつ、パンツ型吸収性物品）、
１０  吸収性本体、
１１  吸収体、
１１Ａ  吸収性コア、１１Ｂ  コアラップシート、
１１Ａｆ  前側コア部、１１Ａｂ  後側コア部、
１１ｆｕ  上部、１１ｆｎ  前側幅狭部（幅狭部）、
１１ｂｕ  上部、１１ｂｎ  後側幅狭部（幅狭部）、１１ｎ  最狭部、
１２  トップシート、１３  バックシート、
１４  外装シート、１５  防漏壁部材、１６  脚回り伸縮部材、
２０  腹側胴回り部（一方側の胴回り部）、２０ａ  側部、
２１  肌側シート、２２  非肌側シート、
２３  腹側胴回り伸縮部材（胴回り伸縮部材）、２３ａ  糸ゴム、２３ｂ  伸縮シート、
３０  背側胴回り部、３０ａ  側部、
３１  肌側シート、３２  非肌側シート、
３３  背側胴回り伸縮部材（胴回り伸縮部材）、
５０  防漏壁部、５１  防漏壁伸縮部材、
５２  エンド接合部、５３  サイド接合部、
５５  固定部、５６  起立部、
６０  レッグギャザー部、
ＬＨ  脚回り開口部、ＢＨ  胴回り開口部、
Ｄｆ  伸縮領域、Ｄｂ  非伸縮領域、
Ｆｆ  伸縮領域、Ｄｂ  非伸縮領域、
Ｅ  圧搾部、
Ｅａ  下側圧搾部、Ｅｂ  隣接下側圧搾部、
Ｅｃ  上側圧搾部、Ｅｄ  隣接上側圧搾部、
Ｍ  中央領域、Ｎ  サイド領域、Ｐ  交点、
Ｒ  圧搾加工を施した部分、Ｓ  スリット、
Ｕ  非圧搾部
【図１】
2019118582.tif 000003
【図２】
2019118582.tif 000004
【図３】
2019118582.tif 000005
【図４】
2019118582.tif 000006
【図５】
2019118582.tif 000007
【図６】
2019118582.tif 000008
【図７】
2019118582.tif 000009
【図８】
2019118582.tif 000010
【図９】
2019118582.tif 000011
【図１０】
2019118582.tif 000012